(57)【要約】      （修正有）【課題】静電気によってユーザの感覚が影響される問題を改善する人工芝生を提供する。【解決手段】人工芝生は、基布１と、基布１に接続され、かつ基布１から伸びた人工芝葉と，抗静電繊維または導電繊維を含み、かつ基布１に接続されて、人工芝葉に接触する繊維４とを含む。人工芝生が人工芝葉に接触する繊維を含み、人工芝生に発生した静電気が繊維によって伝達、分散される。【選択図】図１
0003219916.tif 000002
【実用新案登録請求の範囲】
【請求項１】
人工芝生であって、
基布（１）と、 
前記基布（１）に接続され、かつ前記基布（１）から伸びた人工芝葉と、
前記基布（１）に接続され、かつ前記人工芝葉に接触する繊維（４）とを含み、
前記繊維が括抗静電繊維または導電繊維を含むことを特徴とする、人工芝生。
【請求項２】
前記繊維（４）が前記人工芝葉の円周方向に沿って螺旋状に前記人工芝葉上に巻き付くことを特徴とする、請求項１に記載の人工芝生。
【請求項３】
前記人工芝葉が抗静電人工芝葉を含むことを特徴とする、請求項１に記載の人工芝生。
【請求項４】
前記基布（１）の前記人工芝葉との反対側に接続された抗静電粘着層（３）をさらに含むことを特徴とする、請求項１に記載の人工芝生。
【請求項５】
前記人工芝葉が、直線型の直立人工芝葉（２）、
または、曲線型の湾曲人工芝葉（５）、
または、網状構造に構成され、かつ糸状に縮れた網状人工芝葉を含むことを特徴とする、請求項４に記載の人工芝生。
【請求項６】
前記人工芝葉が少なくとも二種類の色の人工芝葉を含むことを特徴とする、請求項１に記載の人工芝生。 
【請求項７】
前記人工芝葉が少なくとも二種類の繊度の人工芝葉を含むことを特徴とする、請求項１に記載の人工芝生。
【請求項８】
前記人工芝葉が少なくとも二種類の断面形状を有する人工芝葉を含むことを特徴とする、請求項１に記載の人工芝生。
【請求項９】
人工芝パイルを含み、前記人工芝パイルが複数本の前記人工芝葉を含み、複数個の前記人工芝パイルが並列して設置されていることを特徴とする、請求項１に記載の人工芝生。
【請求項１０】
少なくとも一部の前記人工芝パイルがさらに前記繊維（４）を含むことを特徴とする、請求項９に記載の人工芝生。
【請求項１１】
前記人工芝パイルが、
複数本の前記人工芝葉および少なくとも一本の前記繊維（４）を有する第一人工芝パイルと、
複数本の前記人工芝葉のみを有する第二人工芝パイルとを含み、
前記第二人工芝パイルと前記第一人工芝パイルが交互に配置されていることを特徴とする、請求項９に記載の人工芝生。
【考案の詳細な説明】
【技術分野】
【０００１】
本考案は緑化材料分野に関し、具体的には人工芝生に関する。
【背景技術】
【０００２】
人工芝生は、２０世紀６０年代にアメリカに生れ、手入れが簡単で、排水が速く、便利で丈夫、気候に影響されないなどの長所を有するため、ユーザから多くの支持を集め、サッカー、ホッケー、野球などのスポーツ施設と娯楽レジャー施設に広く使われている。人工芝生はプラスチック樹脂を用いて加工製造され、プラスチック樹脂が強い電気絶縁性を有するため、摩擦によって帯電した後、材料表面に集まった電荷の分散が非常に難しくて、放電現象が起こり易くなり、深刻な場合は人に怪我をさせることもあり、人工芝生の実用性と快適性を直接影響している。
【考案の概要】
【考案が解決しようとする課題】
【０００３】
本考案は人工芝生を提供し、従来技術における人工芝生に発生した静電気によってユーザの感覚が影響される問題の改善することが目的である。
【課題を解決するための手段】
【０００４】
本考案の実施例の一形態において、本考案は人工芝生を提供し、この人工芝生は、基布と、基布に接続され、かつ基布から伸びた人工芝葉と、抗静電繊維または導電繊維を含み、かつ基布に接続されて人工芝葉に接触する繊維とを含む。
【０００５】
選択により、繊維が人工芝葉の円周方向に沿って螺旋状に人工芝葉上に巻き付いてもよい。
【０００６】
選択により、人工芝葉が抗静電人工芝葉を含んでもよい。
【０００７】
選択により、人工芝生がさらに、基布の人工芝葉との反対側に接続された抗静電粘着層を含んでもよい。
【０００８】
選択により、人工芝葉が、直線型の直立人工芝葉、または曲線型の湾曲人工芝葉、または網状に構成されてかつ糸状に縮れた網状人工芝葉を含んでもよい。
【０００９】
選択により、人工芝葉が少なくとも二種類の色の人工芝葉を含んでもよい。
【００１０】
選択により、人工芝葉が少なくとも二種類の繊度の人工芝葉を含んでもよい。
【００１１】
選択により、人工芝葉が少なくとも二種類の断面形状を有する人工芝葉を含んでもよい。
【００１２】
選択により、人工芝生が人工芝パイルを含み、人工芝パイルが複数本の人工芝葉を含み、複数個の人工芝パイルが並列に設置されてもよい。
【００１３】
選択により、少なくとも一部の人工芝パイルがさらに繊維を含んでもよい。
【００１４】
選択により、人工芝パイルが、複数本の人工芝葉と少なくとも一本の繊維を有する第一人工芝パイルと、複数本の人工芝葉のみを有する第二人工芝パイルとを含み、第二人工芝パイルと第一人工芝パイルが交互に配置されてもよい。
【００１５】
本願の技術方案の応用により、人工芝生が人工芝葉に接触する繊維を含み、人工芝生に発生した静電気が繊維によって伝達、分散されるため、従来技術における人工芝生に発生した静電気がユーザの感覚を影響し易いという問題を改善できる。
【００１６】
以下、図面を参照しながら本考案を例示する実施例を詳しく説明することで、本考案のその他の特徴および利点を明確に示すとする。
【図面の簡単な説明】
【００１７】
本考案の実施例または従来技術の技術方案をより明確に説明すべく、以下は実施例または従来技術の説明において必要な図面について簡略に紹介するが、以下に説明する図面は本考案の一部の実施例であり、当業者であれば、創作的な労働を行わずとも、これらの図面を基にその他の図面を得られることが明らかである。
【図１】本考案の第一実施例の人工芝生を示す構造概略図。
【図２】本考案の第一実施例の人工芝葉の断面形状を示す構造概略図。
【図３】本考案の第二実施例の人工芝生を示す構造概略図。
【図４】本考案の第三実施例の人工芝生を示す構造概略図。
【図５】本考案の第四実施例の人工芝生を示す構造概略図。
【考案を実施するための形態】
【００１８】
以下、本考案の実施例の図面を参照しながら、本考案の実施例の技術方案を明確に、全体的に説明するが、これらの実施例は本考案の一部の実施例に過ぎず、全ての実施例ではないことは明らかである。以下、少なくとも一つの例示的な実施例に関する説明は、実質上説明のみが目的であり、決して本考案とその応用または使用を何ら制限するものではない。本考案の実施例に基づき、当業者が創作的な労働を必要とせずに得たその他の実施例も本考案の範囲に属する。
（実施例一）
図１は本実施例の人工芝生を示す構造概略図である。図１が示すように、本実施例の人工芝生は、基布１、基布１の一方側に接続された人工芝葉、および人工芝葉に接触する繊維４を含み、繊維４が抗静電繊維と導電繊維のうちの一種類または二種類を含む。
【００１９】
本実施例において、人工芝葉が直立人工芝葉２を含む。
【００２０】
抗静電繊維は抗静電剤を含み、抗静電剤が表面活性剤を含む。抗静電繊維内部の表面活性剤は絶えずに抗静電繊維の表面まで滲出することで、抗静電繊維の表面が吸湿性物質を含み、水分を吸収する。この水分が抗静電繊維と人工芝葉の分子の隙間に入り込み、水分と不純物が外部電界の作用によって解離してイオンになり、かつ電流が形成されることで、人工芝生に発生した静電気を伝達し、分散させることができる。
【００２１】
導電繊維は電子伝達の方法によって静電気を除去することができる。従って、本実施例において、人工芝葉に接触する繊維４を設置することで、従来技術における人工芝生に発生した静電気によりユーザの感覚が影響されやすいとう問題を解決した。
【００２２】
本実施例において、人工芝生は並列に設置された複数個の人工芝パイルを含み、少なくとも一部の人工芝パイルが複数本の人工芝葉と少なくとも一本の繊維を含む。
【００２３】
選択可能な別の実施例において、繊維４が人工芝葉の円周方向に沿って螺旋状に人工芝葉上に巻きつかれてもよい。
【００２４】
選択により、人工芝葉は抗静電人工芝葉を含む。人工芝葉を製造する原料は樹脂を含む。前記樹脂は、ポリエチレン（ＰＥ）、ポリプロピレン（ＰＰ）とポリアミド（Ｎｙｌｏｎ）のうちの少なくとも一種を含み、ポリエチレン（ＰＥ）は直鎖状低密度ポリエチレン（ＬＬＤＰＥ）と高密度ポリエチレン（ＨＤＰＥ）のうちの少なくとも一種を含む。
【００２５】
本実施例において、人工芝葉は少なくとも二種類の色の人工芝葉を含み、人工芝葉の色が緑色、青色、オレンジ色、黒色、金色、茶色、ベージュ、紫色、灰色、白色と黄色であってもよい。
【００２６】
選択により、人工芝葉は少なくとも二種類の繊度の人工芝葉を含む。
【００２７】
人工芝葉はさらに抗静電剤を含む。抗静電剤は、人工芝生に蓄積される静電気を減らすものであり、抗静電剤は一般的に表面活性剤の特徴を有し、極性基または非極性基を有する。よく使われる極性基（即ち、親水基）として、カルボキシル酸、スルホン酸、硫酸、リン酸の陰イオン、アミン塩、第四級アンモニウム塩の陽イオン、および−ＯＨ、−Ｏ−などの基があり、よく使われる非極性基（即ち、親油性基または疎水基）として、アルキル基、アルカリル基などがある。
【００２８】
人工芝葉を基布１上に接続させた後、基布１の人工芝葉との反対側に接着コロイドを塗布して粘着層３を形成する。粘着層３は人工芝葉と基布１の接続強度を高めるものである。接着コロイドはカルボキシルスチレン−ブタジエン（ｃａｒｂｏｘｙｌ  ｓｔｙｒｅｎｅ−ｂｕｔａｄｉｅｎｅ）コロイド、ＰＵコロイドを含む。従来の人工芝生の多くはカルボキシルスチレン−ブタジエンコロイドを用いる。
【００２９】
選択により、前記接着コロイドはさらに抗静電剤を含み、抗静電粘着層を形成する。
【００３０】
選択により、人工芝葉は直線型の直立人工芝葉、湾曲人工芝葉および網状人工芝葉を含む。網状人工芝葉は網状構造に捻じられた人工芝葉であり、このような人工芝葉はその延伸方向に垂直な方向へ広がって網状構造を形成する。
【００３１】
図２は選択可能な多種類の人工芝葉の断面形状を示し、人工芝葉の断面の形状がＣ形（ａ）、Ｄ形（ｂ）、Ｍ形（ｃ）、Ｓ形（ｄ）、Ｕ形（ｅ）、Ｖ形（ｆ）、Ｗ形（ｇ）、ウェーブ形（ｈ）、筋入り形（ｉ）、オリーブ形（ｊ）、三本筋形（ｋ）、ダブル菱形（ｌ）、クローバー形（ｍ）、中空形（ｎ）とＸ形のうちの一種類また多種類であってもよい。
【００３２】
さらに、本実施例において、人工芝葉は少なくとも二種類の色の人工芝葉を含む。
【００３３】
（実施例二）
図３は本実施例の人工芝生を示す構造概略図である。図３が示すように、本実施例が実施例一と異なる点は、人工芝葉がさらに、直立人工芝葉２と繊維４との外周に巻き付いた湾曲人工芝葉５を含む。湾曲人工芝葉５は直立人工芝葉２と繊維４を一緒に束ねている。湾曲人工芝葉５、直立人工芝葉２と繊維４が一つの人工芝パイルを構成する。
【００３４】
（実施例三）
図４は本実施例の人工芝生を示す構造概略図である。図４が示すように、本実施例が実施例一と異なる点は、人工芝パイルが繊維４を有する第一人工芝パイルと、繊維４を有しない第二人工芝パイルとを含む。第一人工芝パイルと第二人工芝パイルが交互に配置される。
【００３５】
（実施例四）
図５は本実施例の人工芝生を示す構造概略図である。図５が示すように、本実施例が実施例一と異なる点は、人工芝葉がさらに、複数本の直立人工芝葉２の外に巻き付いた湾曲人工芝葉５を含む。
【００３６】
本実施例の人工芝パイルは第一人工芝パイルを含み、第一人工芝パイルが複数本の人工芝葉と少なくとも一本の繊維４を含み、複数本の人工芝葉が直立人工芝葉２および、直立人工芝葉２と繊維４との外周に巻き付いた湾曲人工芝葉５を含む。
【００３７】
本実施例の人工芝パイルは第二人工芝パイルを含み、第二人工芝パイルが複数個の人工芝葉のみを含み、人工芝葉が直立人工芝葉２および、複数個の直立人工芝葉の外周に巻き付いた湾曲人工芝葉５を含む。第一人工芝パイルと第二人工芝パイルが交互に配置される。
【００３８】
以上は本考案を例示する実施例に過ぎず、本考案を制限するものではない。本考案の趣旨および原則を基に行われた任意の変更、等価の代替え、修正なども本考案の範囲内に属する。
【符号の説明】
【００３９】
１      基布
２      直立人工芝葉
３      粘着層
４      繊維
５      湾曲人工芝葉。
【図１】
0003219916.tif 000003
【図２】
0003219916.tif 000004
【図３】
0003219916.tif 000005
【図４】
0003219916.tif 000006
【図５】
0003219916.tif 000007